(57)【要約】【課題】この発明は、建造物に使用される耐震構造の原理を顧客等に伝えるための耐震構造体験装置に関する。【解決手段】この発明の耐震構造体験装置１は、建造物に用いられる耐震構造の原理を説明するための耐震構造体験装置１であって、４本の棒部材２の両端部が互いに回動自在に連結固定されなる略矩形の架構部材３と、両端部が該架構部材３の頂点部に対角線状にそれぞれ回動自在に連結固定された２本のブレース４と、該ブレース４のそれぞれに設けられ、且つ、該ブレース４を伸縮自在とする調節部材５とを具備するブレース構造模型６と、幅方向に長尺に形成され両端部が前記架構部材３にそれぞれ回動自在に固定されたパネル部材７が、高さ方向に並設されるパネル構造模型８と、弾性を有する４本の弾性棒部材９の両端部が連結部材１０を介して互いに連結されてなる略矩形のラーメン構造模型１１とを備えている。【選択図】図１
2008180766.tif 000002
【特許請求の範囲】
【請求項１】
建造物に用いられる耐震構造の原理を説明するための耐震構造体験装置であって、
４本の棒部材の両端部が互いに回動自在に連結固定されなる略矩形の架構部材と、両端部が該架構部材の頂点部に対角線状にそれぞれ回動自在に連結固定された２本のブレースと、該ブレースのそれぞれに設けられ、且つ、該ブレースを伸縮自在とする調節部材とを具備するブレース構造模型と、
幅方向に長尺に形成され両端部が前記架構部材にそれぞれ回動自在に固定されたパネル部材が、高さ方向に並設されるパネル構造模型と、
弾性を有する４本の弾性棒部材の両端部が連結部材を介して互いに連結されてなる略矩形のラーメン構造模型とを備えることを特徴とする耐震構造体験装置。
【請求項２】
請求項１記載の耐震構造体験装置において、
前記各構造模型の背面が、それぞれの構造模型を幅方向、及び上下方向にガイドするガイド部材を介して支持板に支持されることを特徴とする耐震構造体験装置。
【請求項３】
請求項１又は２記載の耐震構造体験装置において、
前記パネル構造模型のパネル部材の外側面に、幅方向に所定間隔をあけ、高さ方向に並設される各パネル部材に渡って略鉛直方向に基準線が跨設されることを特徴とする耐震構造体験装置。
【請求項４】
請求項１乃至３記載の耐震構造体験装置において、
前記ブレース構造模型の調節部材に、前記ブレースの伸縮長を視認するための突起部が設けられることを特徴とする耐震構造体験装置。
【発明の詳細な説明】
【技術分野】
【０００１】
この発明は、建造物に使用される耐震構造の原理を顧客等に伝えるための耐震構造体験装置に関する。
【背景技術】
【０００２】
日本に建てられている建造物には、日本の風土上、地震が頻繁に起こることを考慮して、耐震構造が備えられている。そして、そのような耐震構造としては、以下のようなものが考案されている。
【０００３】
例えば、図１５に示すように、建造物Ｈに例えば縦筋１０１と横筋１０２とを略矩形に結合した枠体１０３の頂点部分同士を対角線状に連結するブレース１０４が設けられたブレース構造２０１や、図１６に示すように、建造物Ｈに柱１０５と梁１０６とを略矩形に結合した枠体１０７を覆うようにしてパネル１０８が取付けられたパネル構造２０２や、図１７に示すように、建造物Ｈに柱１０８と梁１０９とがトルシア型ハイテンションボルト等で、該柱１０８と該梁１０９とが略一体となるように剛接合されたラーメン構造２０３が挙げられる。
【０００４】
しかし、建造物の施工が完成した後には、上述のような構造は該建造物の壁内部にあり、外見上確認することが不可能である。しかし、該建造物を購入する顧客に対して、これらの耐震構造が、地震の際にその揺れが各部材にどのように力を及ぼし、これらを抑制するか等、耐震構造の原理についてを説明する機会が多くある。また、これらの耐震構造の設計や該耐震構造を備えた建造物を販売する会社の新入社員等にも、業務遂行のために、耐震構造の原理を周知させておく必要がある。しかし、これらの耐震構造の原理は、図やイラスト、若しくは単なる説明だけでは、容易に理解することは困難である。そのため、耐震構造のエネルギーの吸収作用を説明する装置であって、図１８に示すように、縦部材３０１と横部材３０２の両端部がピン３０３によって回動自在に固定され、同時に該ピン３０３によって、屈曲変形可能な斜め部材３０４が、対角線状に回動自在に固定された模型３０５を矢印３０６の方向に力を作用することで該模型３０５を変形させるものが考案されている（例えば特許文献１）。
【０００５】
【特許文献１】特開２００４−１８４６００号公報
【発明の開示】
【発明が解決しようとする課題】
【０００６】
しかし、上述したような模型を用いてブレース構造の説明を行う際にも、耐震構造に係る構造の一部しか説明することができず、また、他の耐震構造との比較や検討をすることができない。さらに、上述したような耐震構造の原理を系統的に顧客等に説明し、理解してもらうことも困難であった。
【０００７】
この発明は上記のような種々の課題を解決することを目的としてなされたものであって、大掛かりな実験や、装置を必要とすることなく、代表的な耐震構造に係る、各耐震構造模型に直接手で触れ、変形させることで、系統的にこれらの原理や、地震の際にどのように力が作用するかを、顧客等に理解させることのできる耐震構造体験装置に関する。
【課題を解決するための手段】
【０００８】
上記目的を達成するために、請求項１記載の耐震構造体験装置は、建造物に用いられる耐震構造の原理を説明するための耐震構造体験装置であって、４本の棒部材の両端部が互いに回動自在に連結固定されなる略矩形の架構部材と、両端部が該架構部材の頂点部に対角線状にそれぞれ回動自在に連結固定された２本のブレースと、該ブレースのそれぞれに設けられ、且つ、該ブレースを伸縮自在とする調節部材とを具備するブレース構造模型と、幅方向に長尺に形成され両端部が前記架構部材にそれぞれ回動自在に固定されたパネル部材が、高さ方向に並設されるパネル構造模型と、弾性を有する４本の弾性棒部材の両端部が連結部材を介して互いに連結されてなる略矩形のラーメン構造模型とを備えることを特徴としている。
【０００９】
請求項２記載の耐震構造体験装置は、請求項１記載の耐震構造体験装置において、前記各構造模型の背面が、それぞれの構造模型を幅方向、及び上下方向にガイドするガイド部材を介して支持板に支持されることを特徴としている。
【００１０】
請求項３記載の耐震構造体験装置は、請求項１又は２記載の耐震構造体験装置において、前記パネル構造模型のパネル部材の外側面に、幅方向に所定間隔をあけ、高さ方向に並設される各パネル部材に渡って略鉛直方向に基準線が跨設されることを特徴としている。
【００１１】
請求項４記載の耐震構造体験装置は、請求項１乃至３記載の耐震構造体験装置において、前記ブレース構造模型の調節部材に、前記ブレースの伸縮長を視認するための突起部が設けられることを特徴としている。
【発明の効果】
【００１２】
請求項１記載の耐震構造体験装置によれば、耐震構造の代表的な、ブレース構造、パネル構造、ラーメン構造に係る構造模型を備えているので、各構造模型に直接手で触れ、変形させることで、系統的にこれらの原理や、地震の際にどのように力が作用するかを、顧客等に理解させることができる。また、それぞれの構造同士を比較することで、それぞれの違いをより明確に知ることができると共に、個々の構造の理解をより深めることができる。
【００１３】
請求項２記載の耐震構造体験装置によれば、それぞれの構造模型の背面が、構造模型を幅方向、及び上下方向にガイドするガイド部材を介して支持板に支持されている。そのため、顧客等が構造模型に触れている際に、該構造模型が転倒する等して、構造模型は破損する、若しくは、顧客等が転倒した構造模型に接触して負傷する等の問題が生じるおそれがない。また、顧客等が各構造模型をその側面から押圧し、変形の様子を見る際にも、該構造模型がガイド部材にガイドされるようにして変形等するので、押圧の仕方によらず、それぞの顧客等が看取する状況を統一することができる。
【００１４】
請求項３記載の耐震構造体験装置によれば、前記パネル構造模型のパネル部材の外側面に、幅方向に所定間隔をあけ、高さ方向に並設される各パネル部材に渡って略鉛直方向に基準線が跨設されている。そのため、顧客等がパネル構造模型を側面から押圧し変形の様子を視認する際に、一方のパネル部材の基準線と、その上方、若しくは、下方の他方のパネル部材の基準線とのずれを比較することによって、パネル構造模型の変形の程度を知ることができ、パネル構造において、どの程度のせん断力が生じているのかを、間接的に把握することができる。
【００１５】
請求項４記載の耐震構造体験装置によれば、前記ブレース構造模型の調節部材に、ブレースの伸縮長を視認するための突起部が設けられている。そのため、顧客等がブレース構造模型を側面から押圧し変形の様子を視認する際に、一方のブレースは伸び、他方のブレースは縮むが、これらのブレースがどの程度伸縮しているかを容易に視認することができ、ブレース構造において、どの程度の引張力や圧縮力が生じているのかを、間接的に把握することができる。
【発明を実施するための最良の形態】
【００１６】
この発明における耐震構造体験装置の最良の実施形態について、以下に説明する。この実施形態の耐震構造体験装置１は、建造物に用いられる耐震構造の原理を説明するための耐震構造体験装置１であって、図３に示すように、４本の棒部材２の両端部が互いに回動自在に連結固定されなる略矩形の架構部材３と、両端部が該架構部材３の頂点部に対角線状にそれぞれ回動自在に連結固定された２本のブレース４と、該ブレース４のそれぞれに設けられ、且つ、該ブレース４を伸縮自在とする調節部材５とを具備するブレース構造模型６と、図７に示すように、幅方向に長尺に形成され両端部が前記架構部材３にそれぞれ回動自在に固定されたパネル部材７が、高さ方向に並設されるパネル構造模型８と、図１１に示すように、弾性を有する４本の弾性棒部材９の両端部が連結部材１０を介して互いに連結されてなる略矩形のラーメン構造模型１１とを備えている。
【００１７】
前記架構部材３は、図３に示すように、４本の棒部材２の両端部が互いに回動自在に連結固定されてなる略矩形の部材である。そして、棒部材２は、本実施形態においては、強度や耐久性の観点から鋼性の部材を使用しており、該棒部材２は、図３に示すように、略四角柱形状となるように形成されている。また、棒部材２の両端部には、他の棒部材２の両端部と連結するための連結段部１２が形成されており、該連結段部１２は、図９に示すように、該棒部材２の端部から所定長さ、その肉厚を略半分程度取除いたような形状とし、該連結段部１２は、本実施形態においては、図３に示すように、棒部材２の同じ側の面に形成されている。
【００１８】
そして、棒部材２には、連結段部１２を貫通する貫通孔が設けられ、該貫通孔に固定ピン１２ａが挿通されることで、棒部材２の端部同士が互いに回動自在に連結固定されている。また、このように棒部材２が互いに連結される際には、図３に示すように、該連結段部１２の凹んだ箇所同士を互いに連結している。そして、連結段部１２は、本実施形態のように、棒部材２の同じ側の面に形成されていてもよいが、一方の連結段部１２の反対側の面に他方の連結段部１２が設けられていてもよい。また、上述のような、棒部材２の連結方法は、本実施形態のものに限定されるものではなく、適宜変更することが可能である。
【００１９】
前記ブレース構造模型６に使用されるブレース４は、図３に示すように、その両端部が架構部材３の対角線上の頂点部にそれぞれ回動自在に連結固定されている。そして、ブレース４は、建造物の耐震構造に使用されるブレースを想定するものであって、鋼性の部材から形成されてなるものである。また、ブレース４は、上述のように形成された架構部材３における、一方の棒部材２の連結段部１２と、他方の棒部材２の連結段部１２との間に、該ブレース４の両端部が介在するように設けられている。さらに、ブレース４の両端部にも貫通孔（不図示）が設けられているため、棒部材２と共に固定ピン１２ｂによって回動自在に架構部材３の頂点部に固定されている。
【００２０】
そして、ブレース４には、図４に示すように、該ブレース４を伸縮自在とする調節部材５が設けられている。そのため、ブレース構造模型６を顧客等が側面から押圧した際には、架構部材３の各頂点部、及びブレース４の両端部が回動自在に固定されており、さらに、一方のブレース４ａが伸び、他方のブレース４ｂが縮むことにより図４に示すように、該ブレース構造模型６全体が変形するのである。そして、調節部材５は、図５に示すように、上方ブレース４ｃの下端部が、略円筒状に形成され、且つ、長さ方向にスリット１３が形成されたシリンダ１４の上端から一部が挿通固定され、下方ブレース４ｄの上端部が該シリンダ１４の内壁に沿って可動となるように該シリンダ１４の下端から挿通されている。
【００２１】
そして、図５に示すように、上方ブレース４ｃの下端部、及び下方ブレース４ｄの上端部であって、スリット１３が設けられている箇所には、ブレース４の伸縮長を視認することができるように、突起部１５が設けられている。さらに、該突起部１５が設けられていることにより、下方ブレース４ｄがシリンダ１４の下端部から引抜けることがない。また、一方の調節部材５ａのシリンダ１４内部における、下方ブレース４ｄの上端部とシリンダ１４の下端部との間にはバネ１６が設けられている。そして、他方の調節部材５ｂのシリンダ１４内部における、上方ブレース４ｃの下端部と下方ブレース４ｄの上端部との間にもバネ１６が設けられている。そのため、ブレース構造模型６を顧客等が側面から押圧した際には、図４に示すように、変形すると共に、一方の調節部材５ａ内部のバネ１６、及び他方の調節部材５ｂ内部のバネ１６が、図５に示す状態Ａから状態Ｂのように圧縮される。しかし、顧客等がその押圧をやめた際には、前述のように圧縮されたバネ１６の弾性力によって状態Ｂから状態Ａへとバネ１６が復元し、図４に示すように、ブレース構造模型６も元の状態へと戻るのである。
【００２２】
また、本実施形態においては、図５に示すように、ブレース構造模型６に外力が作用しない状態では、一方の調節部材５ａにおいて、上方ブレース４ｃの下端部と下方ブレース４ｄの上端部とが当接し、また、他方の調節部材５ｂにおいて、下方ブレース４ｄの突起部１５がスリット１３の下端部に当接している。そのため、ブレース構造模型６は、図４に示すように、棒部材２に取付けられた矢印Ｙの方向に押圧した場合にのみ、該ブレース構造模型６は変形し、該矢印Ｙと反対側に押圧した際には、該ブレース構造模型６は変形することがないようになっている。しかし、調節部材５の構成は本実施形態のものに限定されるものではなく、ブレース４の伸縮を調節できるものであれば適宜変更することができる。
【００２３】
前記パネル構造模型２０に使用されるパネル部材７は、図７に示すように、幅方向に長尺に形成された略矩形の薄板状の部材であり、上述したような架構部材３に取付けられている。そして、パネル部材７は成型加工の容易性の観点から、例えば合成樹脂等から形成されているが、その他金属製であってもよい。また、本実施形態においては、図７に示すパネル部材７のうち、最上部のパネル部材７、及び最下部のパネル部材７は、架構部材３を構成する水平方向に設けられた棒部材２にそれぞれネジＳ１等で固定されている。そして、最上部のパネル部材７と、最下部のパネル部材７との間のパネル部材７は、両端部がそれぞれ回動自在となるように、架構部材３を構成する鉛直方向に設けられた棒部材２にネジＳ１等で固定されている。
【００２４】
また、パネル部材７同士の間は、図９に示すように、該パネル部材７の上端に凸部７ａが形成され、下端には凹部７ｂが形成されている。そのため、複数のパネル部材７を、図７に示すように、高さ方向に並設する際には、凹部７ｂに凸部７ａが嵌入するようにして結合されている。そのため、顧客等が、パネル構造模型８を側面から、パネル部材７に取付けられた矢印Ｙの方向へ押圧した際には、図８に示すように、該パネル構造模型８が変形すると共に、図９に示すように、パネル部材７が、その下方のパネル部材７にガイドされるのである。また、パネル構造模型８が、図８に示すように、変形した際には、該架構部材３を構成する水平方向の棒部材２同士の垂直距離が、若干小さくなる。そのため、パネル部材７同士を、上述したように高さ方向に結合する際には、図９に示すように、凹部７ｂと凸部７ａとの間に隙間Ｔが生じるように設計されている。
【００２５】
さらに、パネル部材７の外側面には、図７に示すように、幅方向に所定間隔をあけ、高さ方向に並設される各パネル部材７に渡って略鉛直方向に、基準線１７が跨設されている。そして、基準線１７は、パネル部材７の外側面に、塗料等で書かれてあったり、若しくは、溝が形成され該溝を塗料等で強調するようにしてもよい。また、これらのパネル部材７の架構部材３への取付方法、及びパネル部材７同士の結合方法等は本実施形態の構成に限定されるものではなく、適宜変更することができる。
【００２６】
前記ラーメン構造模型１１に使用される弾性棒部材９は、図１１に示すように、略四角柱形状に形成されている。そして、ラーメン構造模型１１は、図１２に示すように、顧客等が側面から、連結部材１２に取付けられた矢印Ｙ方向へ押圧することで該ラーメン構造模型１１が変形するように形成されている。そのため、弾性棒部材９は、度重なる変形に耐え、その変形から該弾性棒部材９の弾性力で自然に元の状態に戻り、且つ、塑性変形することのないように、例えば、ＳＢＲ（Styrene-butadiene rubber）等が用いられている。また、弾性棒部材９は、図１１に示すような、略Ｌ字型の連結部材１０と該弾性棒部材９の両端部とが互いに連結されると共にピンＰ等で固定され、略矩形となるように形成されている。
【００２７】
上述したような、図３、図７、及び、図１１に示す各構造模型２０は、それぞれ、板状部材１８上に溶接や、金具等で適宜取付けられ、さらに、該板状部材１８が載台１９上にネジＳ２等で固定されている。そして、各構造模型２０は、その背面が、それぞれの構造模型２０を幅方向、及び上下方向にガイドするガイド部材２１を介して支持板２２に支持されている。
【００２８】
支持板２２は、本実施形態においては、図１４に示すように、各構造模型２０を確実に支持することができるように、板状部材１８に立設する垂直板部２２ａと、該垂直板部２２ａの両端から略垂直方向に高さ方向に渡って張り出す側面板２２ｂと、該側面板２２ｂと垂直板部２２ａの下端部にこれらと略垂直方向に形成された底板部２２ｃとを具備している。そして、各構造模型２０と共に、板状部材１８の上面に底板部２２ｃがネジＳ３等により固定されている。また、本実施形態においては、支持板２２は、例えば透明のアクリル系の合成樹脂から形成されていので、これらの構造模型が設置されているスペースにおいて、顧客等に閉塞感を感じさせることがなく、広々とした開放感を持たせることができる。また、支持板２２には、構造模型２０の各部分を説明するような、説明書き等が記載されていてもよい。
【００２９】
ガイド部材２１は、図１４に示すように、支持板２２の幅方向にネジＳ４等で取付けられた水平ガイドレール２３ａと、図１３に示すように、中間部材２４の一方面側に取付けられ該水平ガイドレール２３ａに沿って水平方向にガイドされる水平ガイド部材２３ｂと、図１３に示すように、中間部材２４の他方面側に取付けられた垂直ガイドレール２５ａと、図３、図７、及び図１１に示すように、各構造模型２０の背面にネジ等で固定された取付板２６に、図１３に示すように、取付けられ該垂直ガイドレール２５ａに沿って垂直方向にガイドされる垂直ガイド部材２５ｂとを具備している。これにより、顧客等が、各構造体模型２０を押圧した際にも、これらが転倒することなく、各構造模型２０が変形する際にも、ガイド部材２１に従って垂直方向、及び水平方向にガイドすることができるのである。
【００３０】
また、本実施形態においては、図２に示すように、ブレース構造模型６の背面には、例えば、鋼性の縦筋２７ａと横筋２７ｂとを略矩形に結合した枠体２７の頂点部分同士を対角線状に連結するブレース２８が設けられたブレース構造体２９が設置されている。そして、図６に示すように、パネル構造模型８の背面には、例えば、柱３０ａと梁３０ｂとを略矩形に結合した枠体３０を覆うようにしてパネル３１が取付けられたパネル構造体３２が設置されている。そして、図１０に示すように、ラーメン構造模型１１の背面には、例えば、鋼性の柱３３ａと梁３３ｂとがトルシア型ハイテンションボルト等で、該柱３３ａと該梁３３ｂとが略一体となるように剛接合されたラーメン構造体３４が設置されている。そして、これらが、図１に示すように、配置されているのである。しかし、これらの、配置の順番や、配置の方法等は本実施形態のものに限定されるものではなく適宜変更することができる。
【００３１】
以上のように構成された、耐震構造体験装置１の使用方法について以下に説明する。
【００３２】
耐震構造体験装置１は、図１に示すように、展示スペース等に展示されており、各構造模型２０に沿って、通路３５が設けられているため、該展示スペースを訪れた顧客等は、該通路３５を通り、順番に各構造模型２０を視認すると共に、各構造模型２０に直接手で触れ、変形させることで、系統的にこれらの原理や、地震の際にどのように力が作用するかを、理解することができる。
【００３３】
まず、顧客等は、通路３５に示された矢印３６に従って、パネル構造模型８の場所まで行く。そして、顧客等が、図８に示すように、側面から矢印Ｙに従って押圧すると、該パネル構造模型８は変形し、さらに、その変形量を基準線１７を通じて知ることができる。そして、パネル構造模型８の背面には、図６に示すように、実際に使用されているパネル構造体３２が設置されているので、耐震構造に係るパネル構造の原理の理解をより深めることができる。
【００３４】
そして、前述のように、パネル構造の原理を理解することができた顧客等は、通路３５を進み、ラーメン構造模型１１の場所まで行く。そして、顧客等が、図１２に示すように、側面から矢印Ｙに従って押圧すると、該ラーメン構造模型１１は変形する。そして、ラーメン構造模型１１の背面には、図１０に示すように、実際に使用されているラーメン構造体３４が設置されているので、耐震構造に係るラーメン構造の原理の理解をより深めることができる。
【００３５】
そして、前述のように、パネル構造の原理とラーメン構造の原理を理解することができた顧客等は、通路３５をさらに進み、ブレース構造模型６の場所まで行く。そして、顧客等が、図４に示すように、側面から矢印Ｙに従って押圧すると、該ブレース構造模型６は変形し、さらに、その変形に伴うブレース４の伸縮状況を視認することができる。そして、ブレース構造模型６の背面には、図２に示すように、実際に使用されているブレース構造体２９が設置されているので、耐震構造に係るブレース構造の原理の理解をより深めることができる。
【００３６】
このように、顧客等が、代表的な耐震構造に係る、各構造模型２０に直接手で触れ、変形させることで、系統的にこれらの原理や、地震の際にどのように力が作用するかを容易に理解することができるのである。
【産業上の利用可能性】
【００３７】
本発明に係る耐震構造体験装置１は、本実施形態のように顧客等に説明する状況だけでなく、物理学の実験等においても使用することができる。
【図面の簡単な説明】
【００３８】
【図１】本実施形態に係る耐震構造体験装置の全体斜視図
【図２】本実施形態に係るブレース構造模型と実際の建造物に使用されるブレース構造体の全体斜視図
【図３】本実施形態に係るブレース構造模型の全体斜視図
【図４】本実施形態に係るブレース構造模型の全体正面図
【図５】本実施形態に係る調節部材の拡大正面図
【図６】本実施形態に係るパネル構造模型と実際の建造物に使用されるパネル構造体の全体斜視図
【図７】本実施形態に係るパネル構造模型の全体斜視図
【図８】本実施形態に係るパネル構造模型の全体正面図
【図９】本実施形態に係るパネル構造模型の拡大斜視図
【図１０】本実施形態に係るラーメン構造模型と実際の建造物に使用されるパネル構造体の全体斜視図
【図１１】本実施形態に係るラーメン構造模型の全体斜視図
【図１２】本実施形態に係るラーメン構造模型の全体正面図
【図１３】本実施形態に係るガイド部材の拡大斜視図
【図１４】本実施形態に係る支持部材の背面斜視図
【図１５】ブレース構造を具備する建造物を示す模式図
【図１６】パネル構造を具備する建造物を示す模式図
【図１７】ラーメン構造を具備する建造物を示す模式図
【図１８】従来の耐震壁の説明装置と示す図
【符号の説明】
【００３９】
１      耐震構造体験装置
２      棒部材
３      架構部材
４      ブレース
５      調節部材
６      ブレース構造模型
７      パネル部材
８      パネル構造模型
９      弾性棒部材
１０    連結部材
１１    ラーメン構造模型
【図１】
2008180766.tif 000003
【図２】
2008180766.tif 000004
【図３】
2008180766.tif 000005
【図４】
2008180766.tif 000006
【図５】
2008180766.tif 000007
【図６】
2008180766.tif 000008
【図７】
2008180766.tif 000009
【図８】
2008180766.tif 000010
【図９】
2008180766.tif 000011
【図１０】
2008180766.tif 000012
【図１１】
2008180766.tif 000013
【図１２】
2008180766.tif 000014
【図１３】
2008180766.tif 000015
【図１４】
2008180766.tif 000016
【図１５】
2008180766.tif 000017
【図１６】
2008180766.tif 000018
【図１７】
2008180766.tif 000019
【図１８】
2008180766.tif 000020